【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】
一次巻線および二次巻線を有するトランスと、
導通状態および非導通状態の間で切り換わり、導通状態において前記トランスの一次巻線に電源電池からの電流を流すトランジスタと、
前記トランスの二次巻線からの出力にて充電されるコンデンサと、
前記トランスの二次巻線および前記コンデンサに接続され、前記コンデンサの充電時における電流路上に設けられたダイオードと、
一端が前記ダイオードの出力側に接続され、他端に所定の電圧が供給される回路部材とを有し、
前記回路部材の出力は、前記コンデンサの充電電流が流れることによって、前記充電電流が流れないときに比較して前記ダイオードによる電圧降下に応じた値だけ低下し、
前記トランジスタは、前記充電電流が流れているときの前記回路部材の出力によって導通状態となり、前記トランスの磁束の飽和にて前記充電電流が低下したときの前記回路部材の出力によって非導通状態となることを特徴とするストロボ装置。
【請求項２】
前記ダイオードは、アノードが前記コンデンサに接続され、カソードが前記二次巻線に接続されていることを特徴とする請求項１に記載のストロボ装置。
【請求項３】
前記回路部材は分圧抵抗であることを特徴とする請求項１又は２に記載のストロボ装置。
【請求項４】
前記回路部材は、前記所定の電圧が供給される抵抗と、アノードが前記抵抗に接続され、カソードが前記ダイオードの出力側に接続されたダイオードとの直列回路であることを特徴とする請求項１又は２に記載のストロボ装置。
【請求項５】
前記回路部材の出力が入力されるロジック回路を有し、
前記ロジック回路は、前記充電電流が流れているときの前記回路部材の出力を受けて第１の信号を出力するとともに、前記トランスの磁束の飽和にて前記充電電流が低下したときの前記回路部材の出力を受けて第２の信号を出力し、
前記トランジスタは、前記第１の信号によって導通状態となり、前記第２の信号によって非導通状態となることを特徴とする請求項１から４のいずれか１つに記載のストロボ装置。
【手続補正２】
【補正対象書類名】明細書
【補正対象項目名】０００９
【補正方法】変更
【補正の内容】
【０００９】
このＦＥＴを使用した従来例を図６に示す。１は電源であるところの電池、６０は電池１の両端に接続される電源安定用のコンデンサ、１２は電池１の電圧を昇圧するためのトランスで、一次巻線の一方の端子ｅには電源電池１の陽極が接続され、該一次巻線の他方の端子ｆには後述のスイッチ素子であるＮチャンネル電界効果ＦＥＴ１３（以下ＦＥＴと略す）のドレインが接続され、二次巻線の一方の端子ｇには後述の整流ダイオード１５のアノードが接続され、該二次巻線の他方の端子ｈには後述のＰＮＰトランジスタ８１のベースが接続される。
【手続補正３】
【補正対象書類名】明細書
【補正対象項目名】００１５
【補正方法】変更
【補正の内容】
【００１５】
電流−電圧変換手段４８は、トランス１２の前記二次巻線から主コンデンサ２０に流れる電流をスイッチ素子（ＦＥＴ１３）の駆動電圧に変換するもので、ＰＮＰトランジスタ８１のエミッタは後述の定電圧電源１２０の出力Ｖccに接続され、ベースはトランス１２の前記二次巻線の端子ｈに接続される。保護抵抗８２はＰＮＰトランジスタ８１のエミッタ・ベース間に接続され、コンデンサ８３はＰＮＰトランジスタ８１のエミッタ・ベース間に接続される。また抵抗８４は一端がＰＮＰトランジスタ８１のコレクタに接続され、他端が電池１の陰極に接続され、発振中にＰＮＰトランジスタ８１のベース電流が引かれた時、比例した電流がＰＮＰトランジスタ８１のエミッタ・コレクタ間に流れ、抵抗８４に起電力を発生させることで電流から電圧に変換している。抵抗６１は、PNP トランジスタ８１のベースと制御回路１２５のCGST端子間に接続される限流用抵抗である。
【手続補正４】
【補正対象書類名】明細書
【補正対象項目名】００１７
【補正方法】変更
【補正の内容】
【００１７】
４１は後述の定電圧回路１２０の出力Ｖccと電池１の陰極間に接続される動作安定のためのコンデンサ、９３は充電時の電池電圧低下にともなう定電圧回路１２０の出力電圧（Ｖcc電圧）を維持する公知の出力電圧維持回路である。入力電圧（電池）に充電時のように急激な低下が起こると出力電圧を維持できなくなる。そこで、入力電圧が定電圧回路１２０より設定される電源電圧遮断レベル（以下Ｖref 電圧と略す）以下になると、制御信号ＣＧＣＯＭを遮断するように設定される。
【手続補正５】
【補正対象書類名】明細書
【補正対象項目名】００１８
【補正方法】変更
【補正の内容】
【００１８】
２は抵抗で、一端は電池１の陽極に、他端は後述のコンパレータ４の正極入力端子に接続される。３はコンデンサで、一端が後述のコンパレータ４の正極入力端子に、他端が電池１の陰極に接続される。このコンデンサ３は、入力に対してヒステリシスを付ける。４はコンパレータで、ここでは出力がオープンコレクタタイプのコンパレータとなっている。コンパレータ４の正極入力端子には、抵抗２の他端とコンデンサ３の一端が接続され、負極入力端子には、定電圧回路１２０の出力である電源電圧遮断レベル（Ｖref 電圧）が入力される。出力は抵抗４７の一端と能動素子３７の入力に接続される。
【手続補正６】
【補正対象書類名】明細書
【補正対象項目名】００１９
【補正方法】変更
【補正の内容】
【００１９】
具体的な動作は、先ず定電圧回路１２０より設定される電源電圧遮断レベル（Ｖref 電圧）が決められ、コンパレータ４の負極入力端子に入力される。
【手続補正７】
【補正対象書類名】明細書
【補正対象項目名】００２０
【補正方法】変更
【補正の内容】
【００２０】
コンパレータ４の正極入力端子は抵抗２を介して電池１の電圧を検知している。この状態で昇圧動作を開始する場合、制御回路１２５より発振開始信号ＣＧＣＯＭ信号を“ＬＬ”から“ＨＬ”にする。能動素子３７の入力は、ＨＬになる。
【手続補正８】
【補正対象書類名】明細書
【補正対象項目名】００２１
【補正方法】変更
【補正の内容】
【００２１】
その後、制御回路１２５のCGST端子より、“ＯＰＥＮ”（オープン）状態から“ＬＬ”に一瞬変化するワンショット信号が抵抗６１を介して出力され発振が開始される。これによりＰＮＰトランジスタ８１のベース電流を引く。
【手続補正９】
【補正対象書類名】明細書
【補正対象項目名】００２２
【補正方法】変更
【補正の内容】
【００２２】
電流−電圧変換手段４８のＰＮＰトランジスタ８１のベース電流が引かれると、トランジスタ８１はオンしＶcc電圧端子がつながっているエミッタからコレクタに電流が流れ抵抗８４の両端に電圧が発生する。
【手続補正１０】
【補正対象書類名】明細書
【補正対象項目名】００２３
【補正方法】変更
【補正の内容】
【００２３】
すると、能動素子３７の入力がともにＨＬになるため、能動素子３７の出力がＨＬに決まる。その結果ＦＥＴ１３がオンし、電池電源１の電流が発振トランス１２の一次巻線の端子ｅ，ｆを介してＦＥＴ１３のドレイン−ソースに流れることで一次側に電流が流れ二次側に巻線比に相当する電圧が発生するとともに、トランス１２の二次巻線の端子ｈに接続されるＰＮＰトランジスタ８１のベース電流を引く。
【手続補正１１】
【補正対象書類名】明細書
【補正対象項目名】００２４
【補正方法】変更
【補正の内容】
【００２４】
Ｖcc定電圧源からＰＮＰトランジスタ８１のエミッタ−ベースを介してトランス１２、そして高圧整流用ダイオード１５を介して主コンデンサ２０に電流が供給される。電流が増大していくうちにトランス１２の磁気飽和が発生し、電流が急激に減衰していく。これによりＰＮＰトランジスタ８１のベース電流を引かなくなり、これに比例した電流がＰＮＰトランジスタ８１のエミッタ・コレクタ間に流れ、抵抗８４により電圧を下げる（電圧−電流変換）ことで能動素子３７の出力がＬＬになり、ＦＥＴ１３のゲートがＬＬとなることからオフし、発振トランス１２の一次巻線の端子ｅに対する電池電源１の電源の供給が遮断される。
【手続補正１２】
【補正対象書類名】明細書
【補正対象項目名】００２５
【補正方法】変更
【補正の内容】
【００２５】
しかし、トランス１２の二次電流は減衰振動をしているため、再び電流−電圧変換手段４８における抵抗８４の両端の電圧が上がり、制御手段の能動素子３７の入力がともにＨＬになると、制御手段の能動素子３７の出力がＨＬに決まる。そのためＦＥＴ１３がオンし、電池電源１の電流が発振トランス１２の一次巻線の端子ｅ，ｆを介してＦＥＴ１３のドレイン−ソースに流れることで、一次側に再び電流が流れ前述に同様な発振を繰り返すこととなる。これにより、主コンデンサ２０に電荷が蓄積されていき電圧が上がる。
【手続補正１３】
【補正対象書類名】明細書
【補正対象項目名】００２６
【補正方法】変更
【補正の内容】
【００２６】
この時、ＦＥＴ１３のオンにより電源１の電圧が急激に低下するが、コンパレータ４の入力のＶref 電圧以下まで電源１の電圧が下がると、コンパレータ４がオープン状態からＬＬに反転し、制御回路１２５の充電制御信号ＣＧＣＯＭの出力を下げ、能動素子３７の入力の一つがＬＬになることで出力がＬＬになり、ＦＥＴ１３はオフとなって発振が止まり出す。
【手続補正１４】
【補正対象書類名】明細書
【補正対象項目名】００２７
【補正方法】変更
【補正の内容】
【００２７】
発振が止まることで電源１の電圧の低下は止まり、電圧が復帰してくる。電源１の電圧が復帰してコンパレータ４の入力のＶref 電圧を越えると、コンパレータ４の出力がＬＬからオープンに反転し、能動素子３７の入力はＨＬになり再度出力がＨＬになりＦＥＴ１３がオンすることで発振する。これを繰り返すことで電源電圧が一定電圧（Ｖref 電圧）以下にならないようにしている。
【手続補正１５】
【補正対象書類名】明細書
【補正対象項目名】００３３
【補正方法】変更
【補正の内容】
【００３３】
本発明であるストロボ装置は、一次巻線および二次巻線を有するトランスと、導通状態および非導通状態の間で切り換わり、導通状態においてトランスの一次巻線に電源電池からの電流を流すトランジスタと、トランスの二次巻線からの出力にて充電されるコンデンサと、トランスの二次巻線およびコンデンサに接続され、コンデンサの充電時における電流路上に設けられたダイオードと、一端がダイオードの出力側に接続され、他端に所定の電圧が供給される回路部材とを有し、回路部材の出力は、コンデンサの充電電流が流れることによって、充電電流が流れないときに比較してダイオードによる電圧降下に応じた値だけ低下し、トランジスタは、充電電流が流れているときの回路部材の出力によって導通状態となり、トランスの磁束の飽和にて充電電流が低下したときの回路部材の出力によって非導通状態となることを特徴とする。
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４１
【補正方法】変更
【補正の内容】
【００４１】
図１はストロボ装置の回路図を示しており、本実施の形態において、定電圧回路および制御回路については図６に示すものと同様のものを使用し、端子名称のみを付して図示を省略している。
【手続補正２３】
【補正対象書類名】明細書
【補正対象項目名】００４２
【補正方法】変更
【補正の内容】
【００４２】
図１において、１は電源であるところの電池、３０は電源コンデンサで、電池１に並列に接続されている。２は抵抗、３はコンデンサ、４は比較回路で、抵抗２とコンデンサ３の直列回路が電池１に対して並列に接続されており、この直列回路の中点の電位が比較回路４の図示の（＋）入力に入力される。比較回路４はオープンコレクタのコンパレータである。
【手続補正２４】
【補正対象書類名】明細書
【補正対象項目名】００４５
【補正方法】変更
【補正の内容】
【００４５】
発振トランス１２の１次巻線Ｐの一端は電源であるところの電池１の正極へ、他端はＦＥＴ１３のドレインに接続され、ＦＥＴ１３のソースは電源であるところの電池１の負極へ接続されている。
【手続補正２５】
【補正対象書類名】明細書
【補正対象項目名】００４８
【補正方法】変更
【補正の内容】
【００４８】
図２はストロボ回路１００を作動させるためのマイクロコンピュータを含むカメラの制御回路を示す。
【手続補正２６】
【補正対象書類名】明細書
【補正対象項目名】００５１
【補正方法】変更
【補正の内容】
【００５１】
１２６はブロックとして示す測距回路、１２７はブロックとして示す温度検出回路、１２８はブロックとして示すフィルム感度検知回路であり、制御回路１２５に各端子を介して撮影に必要な情報を伝える。１２９はブロックとして示すレンズ駆動回路である。また、１３０はブロックとして示すフィルム駆動回路であり、制御回路１２５の制御によりフィルム給送を行う。
【手続補正２７】
【補正対象書類名】明細書
【補正対象項目名】００５４
【補正方法】変更
【補正の内容】
【００５４】
以降の動作については図３のフローチャートを参照して説明する。
【手続補正２８】
【補正対象書類名】明細書
【補正対象項目名】００５７
【補正方法】変更
【補正の内容】
【００５７】
ここで、電源不足（ＮＧ）のときはＳ２に戻る。電源十分（ＯＫ）のときは端子ＡＦＣに信号を与え、測距回路１２６を作動させて被写体までの距離を測定する（Ｓ７）。なお、測距情報はＡＦＤ端子より制御回路１２５に与えられる。
【手続補正２９】
【補正対象書類名】明細書
【補正対象項目名】００６３
【補正方法】変更
【補正の内容】
【００６３】
このため、整流素子１６のカソード電位は約−０．７Ｖとなるため、補助電源より抵抗９及び抵抗１１を介して電流が流れる、換言すれば、整流素子１６をアノードからカソードに向けて流れる主コンデンサ２０の充電電流の一部がＶcc電源、抵抗９及び抵抗１１を介して分流する。ここで抵抗９及び抵抗１１の抵抗値をＲ9 及びＲ11とすると、およそ
（Ｖcc＋０．７）×（Ｒ11／Ｒ9 ＋Ｒ11）〜０．７
の関係（整流素子１６のカソード電位と概ね一致する関係）で抵抗値を選定することが望ましい。つまり、抵抗１１に分流する電流により発生する電位が、整流素子１６の動作時の動作電位分と同等とすれば、ノア回路１０の抵抗１１に接続されたゲート電圧が打ち消されることとなる。すなわち、抵抗１１が無い場合には整流素子１６の動作電圧により入力ゲートがマイナスとなるため、抵抗１１は上記不具合を防止する保護素子として働いている。
【手続補正３０】
【補正対象書類名】明細書
【補正対象項目名】００６４
【補正方法】変更
【補正の内容】
【００６４】
なお、抵抗１１をダイオードに置き換えることも可能で、この場合、アノードが抵抗９へ、カソードがダイオード１６のカソード側に接続される。これにより、抵抗１１を用いた場合と同様に、ダイオード１６の動作電圧を打ち消すことも可能である。
【手続補正３１】
【補正対象書類名】明細書
【補正対象項目名】００６７
【補正方法】変更
【補正の内容】
【００６７】
ノア回路１０の出力がローレベルとなると、発振トランジスタであるＦＥＴ１３のゲート電荷がローレベルとなり、ＦＥＴ１３が一瞬にして非導通となる。この時、整流素子１６は逆起電力により、高圧整流用ダイオード１５の容量により逆バイアスを受け、逆起電力が発生している期間、補助電源電圧Ｖccより高い電位が発生する。
【手続補正３２】
【補正対象書類名】明細書
【補正対象項目名】００６８
【補正方法】変更
【補正の内容】
【００６８】
このため、整流素子１６と並列にコンデンサを接続しても良く、又整流素子として補助電源より電位の若干高いツェナーダイオードを使用する事でノア回路１０の入力端子を保護することも可能である。
【手続補正３３】
【補正対象書類名】明細書
【補正対象項目名】００６９
【補正方法】変更
【補正の内容】
【００６９】
発振トランス１２のコアの磁束が減少し、逆起電力が順方向の振動電圧に反転すると、再び整流素子１６がバイアス電流を受けカソード電位が低下することで、前述の如く抵抗９及び１１に電流が流れノア回路１０の入力がローレベルとなり、ＦＥＴ１３を再び導通させ、これを繰り返すことで発振が行なわれ主コンデンサ２０には昇圧された電荷が蓄積される。
【手続補正３４】
【補正対象書類名】明細書
【補正対象項目名】００７１
【補正方法】変更
【補正の内容】
【００７１】
ここで、充電完了信号が未入力のときは、充電禁止タイマー期間内であるかを確認し（Ｓ２４）、充電完了信号が未入力であって充電禁止タイマーが終了カウント値（充禁タイマカウントアップ）に達した場合は、端子ａを介して与えていた信号を停止して、ストロボの昇圧動作を停止し（Ｓ２７）、充電未完了の充電ＮＧフラグを立てて（Ｓ２８）、その後図３のフローチャートのＳ１１に戻る。なお、充電完了信号が未入力であって充電禁止タイマーも終了カウント値に達していない場合は、Ｓ２３に戻る。
【手続補正３５】
【補正対象書類名】明細書
【補正対象項目名】００７２
【補正方法】変更
【補正の内容】
【００７２】
一方、Ｓ２３で充電完了信号が入力されたときは、端子ａに与えていた信号を停止して（Ｓ２５）、充電完了のフラグを立てて図３のフローチャートのＳ１１に戻る（Ｓ２６）。
【手続補正３６】
【補正対象書類名】明細書
【補正対象項目名】００７３
【補正方法】変更
【補正の内容】
【００７３】
図３のフローチャートのＳ９で被写体輝度が所定値より明るいと判断された場合は、シャッターボタンの第２ストローク操作（全押し操作）によりオンになる第２スイッチＳＷ２（不図示）がオンか否かを判断する（Ｓ１２）。第２スイッチＳＷ２がオンのときは、Ｓ７での測距データに基づきレンズ駆動回路１２９を制御して焦点調整を行う（Ｓ１３）。
【手続補正３７】
【補正対象書類名】明細書
【補正対象項目名】００７４
【補正方法】変更
【補正の内容】
【００７４】
さらに、Ｓ８で得られた被写体の輝度と、ＩＳＯ感度データからの条件により、シャッター開口をシャッター回路１２３を介して制御するとともに、輝度が低くストロボ発光が必要な場合には測距データとＩＳＯ感度によりシャッター制御を行いつつ、所定の絞り値でストロボを発光させる（Ｓ１４）。
【手続補正３８】
【補正対象書類名】明細書
【補正対象項目名】００７６
【補正方法】変更
【補正の内容】
【００７６】
シャッターが閉じると、焦点位置にあったレンズを初期位置に戻す（Ｓ１５）。そして、撮影の終了後、フィルム駆動回路１３０を制御してフィルムを１コマ分巻上げる（Ｓ１６）。
【手続補正３９】
【補正対象書類名】明細書
【補正対象項目名】００７７
【補正方法】変更
【補正の内容】
【００７７】
次に、ストロボを使用したことを示すフラッシュフラグに“１”が立っているかを確認する（Ｓ１７）。フラグ“１”が立っているときはフラッシュモードにして、Ｓ１０（図４に示すサブルーチン）と同様にして主コンデンサ２０の充電を行って（Ｓ１８）、一連の撮影シーケンスを終了する。なお、ストロボの未使用の場合はＳ１８を通らずにＳ２に戻り、一連の撮影シーケンスを終了する。
【手続補正４０】
【補正対象書類名】明細書
【補正対象項目名】００７８
【補正方法】変更
【補正の内容】
【００７８】
なお、ここでオープンコレクタ型のコンパレータである比較回路４は、抵抗２を介して電池１の電圧を検出しており、カメラの定電圧回路１２０より与えられる基準電圧Ｖref と比較して、基準電圧Ｖref 以下の場合、出力をローレベルとするため、トランジスタ８のベース電流はバイパスされ非導通となり、ノア回路１０の入力は抵抗７によりプルアップされ、この結果出力はローレベルに反転し、ＦＥＴ１３のゲート電位の供給を停止する。この供給の停止によりＦＥＴ１３は非導通となる。このため電池１の電位は再度上昇し、比較回路４の（＋）入力は上昇して出力は再度オープンとなり、電池電圧が基準電圧Ｖref 以下の電圧となることを防止している。ここでコンデンサ３は多少の時間的なヒステリシスを抵抗２の時定数で与えており、１〜２μｓｅｃ程度の時定数を構成している。なお、比較回路４が電圧的なヒステリシスを有する素子であっても良い。
【手続補正４１】
【補正対象書類名】明細書
【補正対象項目名】００８３
【補正方法】変更
【補正の内容】
【００８３】
２３は抵抗、２４は抵抗、２５はノア回路で、ノア回路２５の入力の一方が抵抗２３により補助電源Ｖccからプルアップされている。抵抗２４は前述の抵抗１１と同様にノア回路２５の入力保護抵抗である。
【手続補正４２】
【補正対象書類名】明細書
【補正対象項目名】００８５
【補正方法】変更
【補正の内容】
【００８５】
発振トランス１２は、図１の発振トランスに対して１次巻線ＰをＰ1 ，Ｐ2 として引き出したプッシュプルタイプのトランスである。
【手続補正４３】
【補正対象書類名】明細書
【補正対象項目名】００８６
【補正方法】変更
【補正の内容】
【００８６】
２８及び３１は逆流防止用ダイオード、２９，３２（図１の整流素子１６に相当）は整流素子で、ダイオード２８と整流素子２９の直列回路が発振トランス１２の２次巻線Ｓの一端に、ダイオード３１と整流素子３２の直列回路が２次巻線Ｓの他端に接続されており、ダイオード２８，３１及び整流素子２９，３２のそれぞれの中点から抵抗２４を介して第２のノア回路２５の入力の一方に、また抵抗１１を介して第１のノア回路１０の入力の一方に接続されている。
【手続補正４４】
【補正対象書類名】明細書
【補正対象項目名】００８７
【補正方法】変更
【補正の内容】
【００８７】
３０は第２の高圧整流用ダイオードであり、発振トランス１２の２次巻線の他端と主コンデンサ２０の間に挿入されている。
【手続補正４５】
【補正対象書類名】明細書
【補正対象項目名】００９０
【補正方法】変更
【補正の内容】
【００９０】
また、略同時に端子ｂ（CGST）には所定時間のローレベル信号が入力される。従って第１のノア回路１０は両入力がローレベルとなることから出力がハイレベルとなり、第１のＦＥＴ１３にゲート電位を与える。このことにより、第１のＦＥＴ１３は導通する。この導通により発振トランス１２の１次巻線Ｐ2 には電池１より電流が流れる。この電流により２次巻線Ｓには第１の高圧整流用ダイオード１５、主コンデンサ２０、整流素子３２及びダイオード３１を介すループで電流が流れる。
【手続補正４６】
【補正対象書類名】明細書
【補正対象項目名】００９１
【補正方法】変更
【補正の内容】
【００９１】
この電流により、整流素子３２のカソード電位は動作電圧分低下し、発振トランス１２の出力電流である主コンデンサ２０の充電電流の一部が補助電源Ｖccより抵抗９及び抵抗１１を介し流される。この抵抗値は仮に補助電源Ｖccが５Ｖ、抵抗９が２２ＫΩとすれば、抵抗１１は3 ．3KΩ程度であり、補助電源Ｖccを介して分流される電流は２３０μＡ程度の電流である。
【手続補正４７】
【補正対象書類名】明細書
【補正対象項目名】００９２
【補正方法】変更
【補正の内容】
【００９２】
この電流により、第１のノア回路１０の抵抗９及び１１の中点に接続された入力はローレベルを維持する。ここで発振の起動に当る端子ｂのローレベルの所定時間は発振トランス１２の２次出力が安定して発生する時間で、数十μｓｅｃの時間であれば十分で、２次出力によりローレベルが維持されることとなる。
【手続補正４８】
【補正対象書類名】明細書
【補正対象項目名】００９５
【補正方法】変更
【補正の内容】
【００９５】
第２のＦＥＴ２７の導通が行なわれ、トランス１２の一次巻線P １に電流が流れ、この電流により二次巻線S にはダイオード３０、主コンデンサ２０、整流素子２９およびダイオード２８を介すループで電流が流れる。その後発振トランス１２のコアの磁束が飽和することにより、第２のノア回路２５は第１のノア回路１０の場合と同様にしてローレベルとなり、第２のＦＥＴ２７を一瞬にして停止させる。ここで起動電力はダイオード１５、主コンデンサ２０、整流素子３２、ダイオード３１に流れ、第１のノア回路１０の出力をハイレベルに移行させる。この動作にて第２のＦＥＴ２７と第１のＦＥＴ１３は、交互に導通／非導通を繰返し発振動作が行なわれ、主コンデンサ２０には昇圧された電荷が蓄積される。以後の動作に関しては、第１の実施の形態と同様なため説明を省略する。
【手続補正４９】
【補正対象書類名】明細書
【補正対象項目名】００９７
【補正方法】変更
【補正の内容】
【００９７】
１０１は抵抗、１０２はダイオードでありその他は従来例（図６）と同等である。
【手続補正５０】
【補正対象書類名】明細書
【補正対象項目名】００９９
【補正方法】変更
【補正の内容】
【００９９】
例えば定電圧回路１２０の電圧をＶreg とすれば、定電圧回路１２０を流れる電流ｉは、
ｉ＝（Ｖreg ＋ＶF −ＶBE）／Ｒ101 
ＶF ；ダイオード１０２の動作電圧
Ｒ101 ；抵抗１０１の抵抗値
ＶBE；トランジスタ８１のゲートドライブ電圧
となり、Ｒ101 を１０ＫΩ、Ｖreg を５Ｖ程度とすれば，５００μＡ程度に定電圧回路１２０の出力を抑えることが可能となる。
【手続補正５１】
【補正対象書類名】明細書
【補正対象項目名】０１００
【補正方法】変更
【補正の内容】
【０１００】
【発明の効果】
以上説明したように、本発明によれば、簡単な構成で補助電源供給を低く抑える事が可能となった。
【手続補正５２】
【補正対象書類名】図面
【補正対象項目名】図４
【補正方法】変更
【補正の内容】
【図４】
2001311985.tif 000001